(57)【要約】【課題】簡単な構成で小型のモータおよび手動操作の両方でレバー部材を回動させて、ドアのラッチを解除させることができる加熱調理器を提供する。【解決手段】加熱調理器は、本体ケーシング側に設けられた係止部(５１,５２)と、ドアに設けられ、ドアを閉めた状態で本体ケーシング側の係止部(５１,５２)に係止するラッチ部材(４０)と、本体ケーシングに回動可能に取り付けられ、モータの回転力が作用可能な第１の面(３０ａ)と、外部からの手動操作による力が作用可能な第２の面とを有するレバー部材(３０)とを備える。レバー部材(３０)の第１の面(３０ａ)にモータの回転力が作用するか、または、レバー部材(３０)の第２の面に外部からの手動操作による力が作用して、ラッチ部材(４０)が回動することによって、ラッチ部材(４０)を移動させて係止部(５１,５２)から外す。【選択図】図４
2018185070.tif 000002
【特許請求の範囲】
【請求項１】
本体ケーシングと、
上記本体ケーシングの開口部を開閉するドアと、
上記本体ケーシング側に設けられた係止部と、
上記ドアに設けられ、上記ドアを閉めた状態で上記本体ケーシング側の上記係止部に係止するラッチ部材と、
上記本体ケーシングに回動可能に取り付けられ、モータの回転力が作用可能な第１の面と、外部からの手動操作による力が作用可能な第２の面とを有するレバー部材と
を備え、
上記レバー部材の上記第１の面に上記モータの回転力が作用するか、または、上記レバー部材の上記第２の面に上記外部からの手動操作による力が作用して、上記ラッチ部材が回動することによって、上記ラッチ部材を移動させて上記係止部から外すことを特徴とする加熱調理器。
【請求項２】
請求項１に記載の加熱調理器において、
上記モータと、
上記モータの回転力を上記レバー部材の上記第１の面に伝達する伝達部材と
を備えたことを特徴とする加熱調理器。
【請求項３】
請求項１または２に記載の加熱調理器において、
上記外部からの手動操作による力を上記レバー部材の上記第２の面に回転力として伝達するリンク機構を備えたことを特徴とする加熱調理器。
【発明の詳細な説明】
【技術分野】
【０００１】
この発明は、加熱調理器に関する。
【背景技術】
【０００２】
従来、加熱調理器としては、プランジャを作動させるか、または、操作パネルに設けた開閉レバーを手動操作することにより、作動レバーを回動させてドアキーを上方向に移動させ、ドアキーを引っ掛け部から解除してドアを開くものがある(例えば、特開２００２−２６７１７７号公報(特許文献１)参照)。
【先行技術文献】
【特許文献】
【０００３】
【特許文献１】特開２００２−２６７１７７号公報
【発明の概要】
【発明が解決しようとする課題】
【０００４】
しかしながら、上記加熱調理器では、作動レバーをプランジャにより引っ張って回動させることによりドアキーを上方向に移動させるため、駆動力の大きな大型のプランジャが必要となり、プランジャの設置スペースが大きくなるという問題がある。
【０００５】
また、上記加熱調理器では、プランジャにより作動レバーを回動させる機構と、操作パネルに設けた開閉レバーにより作動レバーを回動させる機構とが別々であるため、スペースが大きくなるという問題がある。
【０００６】
そこで、この発明の課題は、簡単な構成で小型のモータおよび手動操作の両方でレバー部材を回動させて、ドアのラッチを解除させることができる加熱調理器を提供することにある。
【課題を解決するための手段】
【０００７】
この発明の一態様に係る加熱調理器は、
本体ケーシングと、
上記本体ケーシングの開口部を開閉するドアと、
上記本体ケーシング側に設けられた係止部と、
上記ドアに設けられ、上記ドアを閉めた状態で上記本体ケーシング側の上記係止部に係止するラッチ部材と、
上記本体ケーシングに回動可能に取り付けられ、モータの回転力が作用可能な第１の面と、外部からの手動操作による力が作用可能な第２の面とを有するレバー部材と
を備え、
上記レバー部材の上記第１の面に上記モータの回転力が作用するか、または、上記レバー部材の上記第２の面に上記外部からの手動操作による力が作用して、上記ラッチ部材が回動することによって、上記ラッチ部材を移動させて上記係止部から外すことを特徴とする。
【発明の効果】
【０００８】
以上より明らかなように、この発明によれば、簡単な構成で小型のモータおよび手動操作の両方でレバー部材を回動させて、ドアのラッチを解除させることができる加熱調理器を提供することにある。
【図面の簡単な説明】
【０００９】
【図１】図１はこの発明の第１実施形態の加熱調理器の一例としての電子レンジの斜視図である。
【図２】図２は上記電子レンジの後側かつ斜め上方から見た斜視図である。
【図３】図３は上記電子レンジのラッチ部材のフックが係止部に係止した状態の縦断面図である。
【図４】図４は上記電子レンジのドアの保持機構の動作を説明する図である。
【図５】図５は上記電子レンジの後側かつ斜め上方から見た図である。
【図６】図６は上記電子レンジの縦断面図である。
【図７】図７は上記電子レンジのレバー部材を含む要部の斜視図である。
【図８】図８は上記電子レンジの手動操作用の補助レバーを含む要部の縦断面図である。
【図９】図９は上記補助レバーを含む要部の縦断面図である。
【発明を実施するための形態】
【００１０】
以下、この発明の加熱調理器を図示の実施の形態により詳細に説明する。
【００１１】
〔第１実施形態〕
図１はこの発明の第１実施形態の加熱調理器の一例としての電子レンジの斜視図を示している。この電子レンジは、ビルトインタイプの電子レンジである。
【００１２】
この第１実施形態の電子レンジは、図１に示すように、加熱庫(図示せず)を有する本体ケーシング１と、本体ケーシング１の前面側の開口部を開閉するドア２と、本体ケーシング１の前面側かつドア２の右側方に配置された操作パネル３とを備えている。
【００１３】
また、電子レンジは、本体ケーシング１内の右下側に配置されたマグネトロン１０を備えている。上記マグネトロン１０は、本体ケーシング１の底板１１に取り付けられている。
【００１４】
また、本体ケーシング１の底板１１、かつ、マグネトロン１０と操作パネル３との間に、モータ２０を取り付けている。このモータ２０により駆動されるレバー部材３０を本体ケーシング１に回動可能に取り付けている。
【００１５】
また、ドア２にラッチ部材４０(図３に示す)を上下方向に往復移動可能に取り付けている。このラッチ部材４０は、ラッチバネ(図示せず)により下方向に付勢されている。
【００１６】
また、図１において、１２は本体ケーシング１の天板、５０は、本体ケーシング１内の後面側かつ右側に配置された冷却ファンである。冷却ファン５０によって、マグネトロン１０などの電装品を冷却する。
【００１７】
図２は上記電子レンジの後側かつ斜め上方から見た斜視図を示し、図３は上記電子レンジのラッチ部材４０の上フック４３,下フック４５が係止部５１,５２に係止した状態の縦断面図を示している。図２,図３では、本体ケーシング１から側板(図示せず)と天板１２(図１に示す)を外した状態を示している。図２,図３おいて、図１と同一の構成部には同一参照番号を付している。
【００１８】
図２,図３に示すように、モータ２０により駆動されるレバー部材３０のレバー先端部３１が、ラッチ部材４０の下側の下フック４５に当接している。また、モータ２０の駆動軸に羽根車２１の軸部２１ａを連結している。羽根車２１は、軸部２１ａと、軸部２１ａの外周に周方向かつ等間隔に設けられた４つの羽根部２１ｂを有する。上記羽根車２１は、伝達部材の一例である。上記モータ２０と羽根車２１でレバー部材駆動部を構成している。
【００１９】
図２,図３では、ドア２が閉じた状態で、ラッチ部材４０の上フック４３,下フック４５が係止部５１,５２に係止している。
【００２０】
次に、図４に従ってドア２の保持機構の動作を説明する。図４(a)はドア２が閉じて、ラッチ部材４０の上フック４３,下フック４５が係止部５１,５２に係止している状態を示しており、図４(b)はラッチ部材４０の上フック４３,下フック４５が係止部５１,５２から外れた状態を示している。上記係止部５１,５２は、本体ケーシング１側に設けられている。
【００２１】
図４(a),図４(b)に示すように、ラッチ部材４０は、ドア２に設けられたガイド溝(図示せず)により上下方向に案内される基部４１と、基部４１の上下方向に間隔をあけて側方(本体ケーシング１側)に延在する上アーム４２,下アーム４４と、上アーム４２の先端から下方に屈曲する上フック４３と、下アーム４４の先端から下方に屈曲する下フック４５とを有する。
【００２２】
図４(a)では、モータ２０により駆動される羽根車２１の羽根部２１ｂは、レバー部材３０の第１の面３０ａに接していない。ここで、レバー部材３０は、軸Ｏを中心に回動可能に支持されていると共に、バネ部材(図示せず)により反時計方向に付勢されて、レバー部材３０から上方に突出するレバー先端部３１が下フック４５の先端部に当接している。
【００２３】
そして、ドア２の操作表示部(図示せず)のドア開ボタンをユーザーが操作すると、モータ２０を駆動して、羽根車２１を所定角度回転させる。これにより、図４(a)の状態からモータ２０により羽根車２１を時計方向Ｒ１に回動させ、図４(b)に示すように、羽根車２１の羽根部２１ｂが、レバー部材３０の第１の面３０ａに接した後、レバー部材３０を押し上げて、レバー部材３０を軸Ｏを中心に反時計方向Ｒ２に回動させる。
【００２４】
これにより、レバー部材３０のレバー先端部３１が下フック４５を押し上げる。そうして、ラッチ部材４０全体が上方向にスライドして、上フック４３,下フック４５が係止部５１,５２から外れ、ドア２が開く。
【００２５】
ドア２が開くと、ラッチ部材４０は、フックバネの付勢力によって下方向に移動して、下側の位置に戻る。このとき、モータ２０により駆動される羽根車２１の羽根部２１ｂは、図４(a)のとおり、レバー部材３０の第１の面３０ａに接していない位置にする。
【００２６】
図５は上記電子レンジの後側かつ斜め上方から見た図を示しており、図６は上記電子レンジの縦断面図を示している。この図５,図６では、ラッチ部材４０の上フック４３,下フック４５が係止部５１,５２から外れた状態を示している(図４(b)参照)。
【００２７】
また、図７は上記電子レンジのレバー部材３０を含む要部の斜視図を示している。レバー部材３０は、図７に示すように、外部からの手動操作による力が働く第２の面３０ｂを有している。
【００２８】
図７において、３２,３３はレバー部材３０に設けられた軸部である。このレバー部材３０の軸部３２,３３によって、レバー部材３０は、本体ケーシング１に軸Ｏを中心に回動可能に支持されている。
【００２９】
また、図８は上記電子レンジの手動操作用の補助レバー６０を含む要部の縦断面図を示している。図８は、ドア２が閉じた状態で、ラッチ部材４０の上フック４３,下フック４５が係止部５１,５２に係止している(図４(a),(b)参照)。
【００３０】
手動操作用の補助レバー６０は、図８に示すように、くの字形状をしており、ドア２に設けられた軸部６１により回動可能に支持されている。手動操作用の補助レバー６０は、軸部６１から前方に延びる第１アーム部６０ａと、軸部６１から後方かつ斜め上方に延びる第２アーム部６０ｂとを有する。
【００３１】
上記補助レバー６０の第２アーム部６０ｂの先端は、ラッチ部材４０の第２の面３０ｂに当接している。補助レバー６０は、リンク機構の一例である。
【００３２】
図８において、ドア２の下側に設けられた貫通穴２ａを通して、棒状の工具などを矢印Ｒ３の方向に挿入して、第２アーム部６０ｂを押し上げると、図９に示すように、補助レバー６０が軸部６１を中心に時計方向に回動する。そうして、補助レバー６０の第２アーム部６０ｂの先端は、ラッチ部材４０の第２の面３０ｂを押し上げて、レバー部材３０を反時計方向に回動させる。
【００３３】
これによって、レバー部材３０のレバー先端部３１が下フック４５を押し上げる。そうして、ラッチ部材４０全体が上方向にスライドして、上フック４３,下フック４５が係止部５１,５２から外れ、ドア２が開く。
【００３４】
上記構成の電子レンジによれば、レバー部材３０の第１の面３０ａにモータ２０の回転力を作用させると、レバー部材３０が回動してラッチ部材４０を上方向に押し上げ、ラッチ部材４０を係止部５１,５２から外す。一方、停電などによりモータ２０でレバー部材３０を回動できない場合は、図８,図９に示すように、レバー部材３０の第２の面３０ｂに外部からの手動操作による力を作用させると、レバー部材３０が回動してラッチ部材４０を上方向に押し上げ、ラッチ部材４０を係止部５１,５２から外す。このように、簡単な構成で小型のモータ２０および手動操作の両方でレバー部材３０を回動させて、ラッチ部材４０を解除させることができる。
【００３５】
なお、上記レバー部材３０の第１の面３０ａを利用して、モータ２０のみでレバー部材３０を回動させる電子レンジを構成してもよいし、レバー部材３０の第２の面３０ｂを利用して、手動操作のみでレバー部材３０を回動させる電子レンジを構成してもよく、どちらの電子レンジにおいても同じレバー部材３０を用いることで共通化が図れる。
【００３６】
また、上記モータ２０の回転力を伝達部材２１を介してレバー部材３０の第１の面３０ａに伝達することによってレバー部材３０を回動させるので、モータ２０の回転力でラッチ部材４０を係止部５１,５２から容易に外すことができる。
【００３７】
また、外部からの手動操作による力をリンク機構を介してレバー部材３０の第２の面３０ｂに回転力として伝達することによってレバー部材３０を回動させるので、手動操作による力でラッチ部材４０を係止部５１,５２から容易に外すことができる。
【００３８】
〔第２実施形態〕
この発明の第２実施形態の加熱調理器の一例としての電子レンジは、レバー部材駆動部を除いて第１実施形態の電子レンジと同一の構成をしている。
【００３９】
上記第１実施形態の電子レンジでは、レバー部材駆動部をモータ２０と羽根車２１で構成したが、この第２実施形態の電子レンジは、モータ２０とカム機構を用いたレバー部材駆動部を用いている。
【００４０】
上記第２実施形態の電子レンジは、第１実施形態の電子レンジと同様の効果を有する。
【００４１】
なお、上記レバー部材３０を駆動するレバー部材駆動部はこれに限らず、他の構成のレバー部材駆動部を用いてもよい。
【００４２】
〔第３実施形態〕
この発明の第３実施形態の加熱調理器の一例としての電子レンジは、外部からの手動操作による力をレバー部材３０の第２の面３０ｂに回転力として伝達するリンク機構を除いて第１実施形態の電子レンジと同一の構成をしている。
【００４３】
上記第１実施形態の電子レンジでは、ドア２の下側から棒状の工具などで押し上げる補助レバー６０でリンク機構を構成したが、この第３実施形態の電子レンジは、ドアの側方から棒状の工具などで動かすリンク機構を用いている。
【００４４】
上記第２実施形態の電子レンジは、第１実施形態の電子レンジと同様の効果を有する。
【００４５】
上記第１〜第３実施形態では、加熱調理器として電子レンジについて説明したが、加熱調理器はこれに限らず、オーブンレンジやオーブンなどの加熱調理器にこの発明を適用してもよい。
【００４６】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【００４７】
この発明および実施形態をまとめると、次のようになる。
【００４８】
この発明の一態様に係る加熱調理器は、
本体ケーシング１と、
上記本体ケーシング１の開口部を開閉するドア２と、
上記本体ケーシング１側に設けられた係止部５１,５２と、
上記ドア２に設けられ、上記ドア２を閉めた状態で上記本体ケーシング１側の上記係止部５１,５２に係止するラッチ部材４０と、
上記本体ケーシング１に回動可能に取り付けられ、モータ２０の回転力が作用可能な第１の面３０ａと、外部からの手動操作による力が作用可能な第２の面３０ｂとを有するレバー部材３０と
を備え、
上記レバー部材３０の上記第１の面３０ａに上記モータ２０の回転力が作用するか、または、上記レバー部材３０の上記第２の面３０ｂに上記外部からの手動操作による力が作用して、上記ラッチ部材４０が回動することによって、上記ラッチ部材４０を移動させて上記係止部５１,５２から外すことを特徴とする。
【００４９】
上記構成によれば、レバー部材３０の第１の面３０ａにモータ２０の回転力が作用して、レバー部材３０が回動すると、ラッチ部材４０を移動させて係止部５１,５２から外す一方、レバー部材３０の第２の面３０ｂに外部からの手動操作による力が作用して、レバー部材３０が回動すると、ラッチ部材４０を移動させて係止部５１,５２から外す。このように、簡単な構成で小型のモータ２０および手動操作の両方でレバー部材３０を回動させて、ラッチ部材４０を解除させることができる。
【００５０】
なお、上記レバー部材３０の第１の面３０ａを利用して、モータ２０のみでレバー部材３０を回動させる加熱調理器を構成してもよいし、レバー部材３０の第２の面３０ｂを利用して、手動操作のみでレバー部材３０を回動させる加熱調理器を構成してもよく、どちらの加熱調理器においても同じレバー部材３０を用いることで共通化が図れる。
【００５１】
また、一実施形態の加熱調理器では、
上記モータ２０と、
上記モータ２０の回転力を上記レバー部材３０の上記第１の面３０ａに伝達する伝達部材２１と
を備えた。
【００５２】
上記実施形態によれば、モータ２０の回転力を伝達部材２１を介してレバー部材３０の第１の面３０ａに伝達することによってレバー部材３０を回動させるので、モータ２０の回転力でラッチ部材４０を係止部５１,５２から容易に外すことができる。
【００５３】
また、一実施形態の加熱調理器では、
上記外部からの手動操作による力を上記レバー部材３０の上記第２の面３０ｂに回転力として伝達するリンク機構を備えた。
【００５４】
上記実施形態によれば、外部からの手動操作による力をリンク機構を介してレバー部材３０の第２の面３０ｂに回転力として伝達することによってレバー部材３０を回動させるので、手動操作による力でラッチ部材４０を係止部５１,５２から容易に外すことができる。
【符号の説明】
【００５５】
１…本体ケーシング
２…ドア
３…操作パネル
１０…マグネトロン
１１…底板
１２…天板
２０…モータ
２１…羽根車
２１ａ…軸部
２１ｂ…羽根部
３０…レバー部材
３０ａ…第１の面
３０ｂ…第２の面
３１…レバー先端部
４０…ラッチ部材
４１…基部
４２…上アーム
４３…上フック
４４…下アーム
４５…下フック
５０…冷却ファン
５１,５２…係止部
６０…補助レバー
６０ａ…第１アーム部
６０ｂ…第２アーム部
６１…軸部
【図１】
2018185070.tif 000003
【図２】
2018185070.tif 000004
【図３】
2018185070.tif 000005
【図４】
2018185070.tif 000006
【図５】
2018185070.tif 000007
【図６】
2018185070.tif 000008
【図７】
2018185070.tif 000009
【図８】
2018185070.tif 000010
【図９】
2018185070.tif 000011